(57)【特許請求の範囲】
【請求項１】
剥離処理した剥離処理面と粘着剤を塗布した粘着面（１１）とを有する粘着テープ片（１０）の粘着面（１１）を外側にして円筒状に捲かれた各粘着テープ片（１０）を径方向に複数積層し、径方向の最も外側に位置する粘着テープ片から順次捲り取って使用する清掃具において、
各粘着テープ片（１０）は、粘着面（１１）の円周方向の一端部分が他端部分を覆うように円筒状に捲かれると共に、前記一端部分に粘着剤を塗布しない非粘着部（１２）を形成しており、
前記非粘着部（１２）は、粘着面（１１）の円周方向の一端部分に帯状の紙片を重合しており、
径方向に積層して隣接する前記粘着テープ片（１０）は、外側の粘着テープ片（１０１）の後端（１０１Ｅ）と、内側テープ片（１０２）の先端（１０２Ｓ）とが所定間隔（Ｔ１）を介して積層されていると共に、
径方向に積層して隣接する前記粘着テープ片（１０）は、前記外側テープ片（１０１）の非粘着部（１２）の後端（１２１Ｅ）と、前記内側テープ片（１０２）の非粘着部（１２）の始端（１０２Ｓ）とが所定間隔を隔てて重合されていることを特徴とする清掃用具。
【請求項２】
前記非粘着部（１０）の色を、粘着面（１１）の色と異なる他の色にしたことを特徴とする請求項１に記載の清掃用具。
【発明の詳細な説明】
【技術分野】
【０００１】
本発明は、塵、糸くず、毛髪などのゴミを粘着する粘着テープを備えた清掃用具に関する。
【背景技術】
【０００２】
従来、長尺の粘着テープの粘着面を外側に向けて巻芯に巻き取った構成からなる清掃用具が存在する。かかる清掃用具における長尺の粘着テープには、使用済みの部分を捲って切り離す為のミシン目やサイドカットの切りしろが巻芯軸方向に沿って形成されている。
【特許文献１】公開実用新案  昭和６３年第７６２５８号
【発明の開示】
【発明が解決しようとする課題】
【０００３】
しかしながら、粘着テープに形成されたミシン目やサイドカットの切りしろは視覚によって判別し難く、また、必ずミシン目等の端から切り取り始める必要があるため、使用済みの部分を切り取って剥がす作業が煩雑であった。
【０００４】
また、ミシン目などの切り取りラインをまたぐ様に髪の毛等が付着した場合には、髪の毛等が粘着テープを切り取って剥がす作業を妨げるように作用するために、粘着テープを剥がし難くなるのみならず、粘着テープが髪の毛に沿って縦方向に裂けてしまうという問題があった。特に後者は、小型・軽量化や低コストへの配慮から、粘着テープを可及的に薄紙で構成する場合に顕著に表れる問題であった。
【課題を解決するための手段】
【０００５】
本発明は、上述の問題を解決するべく、次の構成を備えている。
【０００６】
すなわち、粘着剤を塗布した粘着面（１１）を外側にして円筒状に捲かれた各粘着テープ片（１０）を径方向に複数積層し、径方向の最も外側に位置する粘着テープ片（１０）から順次捲り取って使用する清掃具において、各粘着テープ片（１０）の粘着面（１１）の円周方向（図２等においてはＸ方向）の一端部分又は両端部分に粘着剤を塗布していない非粘着部（１２）を形成したことを特徴とする清掃用具である（請求項１）。
【０００７】
また、剥離処理した剥離処理面と粘着剤を塗布した粘着面（１１）とを有する粘着テープ片（１０）の粘着面（１１）を外側にして円筒状に捲かれた各粘着テープ片（１０）を径方向に複数積層し、径方向の最も外側に位置する粘着テープ片から順次捲り取って使用する清掃具において、各粘着テープ片（１０）は、粘着面（１１）の円周方向（Ｘ方向）の一端部分が他端部分を覆うように円筒状に捲かれると共に、前記一端部分に粘着剤を塗布しない非粘着部（１２）を形成したことを特徴とする清掃用具である（請求項２）。
【０００８】
また、前記非粘着部（１２）は、粘着面（１１）の円周方向の一端部分に帯状の紙片を重合したものであることを特徴とする請求項１又は２に記載の清掃用具である（請求項３）
【発明の効果】
【０００９】
本発明は、従来技術における粘着テープの使用済み部分を切断するための「ミシン目」等を形成することなく、粘着剤を塗布した粘着面を外側にして円筒状に捲かれた各粘着テープ片を径方向に複数積層し、径方向の最も外側に位置する粘着テープ片から順次捲り取って使用する清掃具であって、各粘着テープ片の粘着面の円周方向の一端部分又は両端部分に粘着剤を塗布していない非粘着部を形成したことから、ミシン目等の加工が不要であると共にミシン目等に沿って使用済み部分を切り取る必要がないので、容易に使用済みの粘着テープ片を捲り取って剥がすことができる。また、捲りしろとなる粘着テープ片の端部分に非粘着部を形成したことから、手で触れることによって容易に捲りしろを判別することができるので、この点からも粘着テープ片を捲り取って剥がす作業が容易になる。
【００１０】
しかも、ミシン目等を形成した従来技術では、切り取り始めとなる細かなミシン目の端部を視覚によって識別する必要があって切り取り作業が煩雑であるところ、本発明のようにミシン目を形成することなく、粘着テープ片の端部分に帯状の非粘着部を形成した構成によれば、粘着テープ片の端部分のどこからでも捲り始めることができるので、いわゆるユニバーサルデザインとしての効果をも奏する。
【発明を実施するための最良の形態】
【００１１】
本件発明は例えば次のように構成される。
【００１２】
粘着剤を塗布した粘着面１１を外側にして円筒状に捲かれた各粘着テープ片１０を径方向に複数積層し、径方向の最も外側に位置する粘着テープ片１０から順次捲り取って使用する清掃具において、各粘着テープ片１０の粘着面１１の円周方向（Ｘ方向）の一端部分又は両端部分に粘着剤を塗布していない非粘着部１２を形成したことを特徴とする清掃用具である。
【００１３】
また、剥離処理した剥離処理面と粘着剤を塗布した粘着面１１とを有する粘着テープ片１０の粘着面１１を外側にして円筒状に捲かれた各粘着テープ片１０を径方向に複数積層し、径方向の最も外側に位置する粘着テープ片１０から順次捲り取って使用する清掃具において、各粘着テープ片１０は、粘着面１１の円周方向（Ｘ方向）の一端部分が他端部分を覆うように円筒状に捲かれると共に、前記一端に粘着剤を塗布しない非粘着部１２を形成したことを特徴とする清掃用具である。
【００１４】
また、前記非粘着部１２は、粘着面１１の円周方向の一端部分に帯状の紙片１２１を貼付したものであることを特徴とする清掃用具である。
【００１５】
また、剥離処理した剥離処理面と粘着剤を塗布した粘着面１１とを有する複数の粘着テープ片１０からなる粘着テープＴを巻芯Ｓに巻き取った清掃用具において、前記粘着テープＴは複数に分割された粘着テープ片１０からなり、巻芯Ｓに巻き取られて内側（径方向内側）に位置する粘着テープ片１０と外側（径方向外側）に位置する粘着テープ片１０とは、内側の粘着テープ片１０の粘着面１１と外側の粘着テープ片１０の剥離処理面とが対向して粘着することによって剥離可能に巻き取り方向（Ｘ方向）に順次連結された粘着テープＴであり、前記粘着テープ片１０は巻き取り方向（Ｘ方向）の一端又は両端に非粘着部１２を形成したことを特徴とする清掃用具である。
【００１６】
また、前記非粘着部１２は、前記粘着テープ片１０の巻き取り方向（Ｘ方向）端辺を折り返してなる非粘着部１２であることを特徴とする清掃用具である。
【００１７】
また、前記粘着テープ片１０の巻き取り方向（Ｘ方向）両端辺をそれぞれ折り返して非粘着部を形成したことを特徴とする清掃用具である。
【００１８】
以下、本発明を実施するための最良の形態を、実施例として示す各図（図１〜１４）と共に説明する。
【実施例１】
【００１９】
実施例１を、図１から図５に示す。図１は、複数の粘着テープ片１０によって構成される粘着テープＴを巻芯Ｓに巻きつけた状態から一部を展開した状態を示す斜視図、図２は粘着テープＴを構成する一の粘着テープ片１０の斜視図、図３は複数の粘着テープ片１０によって構成される粘着テープＴを巻芯Ｓに巻きつけた状態から一部を展開した状態の側断面図、図４は使用済みの最も外側の粘着テープ片を非粘着部１２から剥がし始めた状態を示す斜視図、図５は巻芯Ｓに粘着テープＴを巻き付けてなる粘着ロールＲを保持具Ｈに取り付けた使用状態を示す図である。
【００２０】
実施例１は、複数の粘着テープ片１０からなる粘着テープＴを巻芯Ｓに巻き取った清掃用具である。具体的には、厚紙などで構成された円筒状の巻芯Ｓの外周面に対して、粘着剤を塗布した粘着面１１を外側にして円筒状に捲かれた各粘着テープ片１０を径方向（円筒の直径方向）に複数積層して、径方向の最も外側に位置する粘着テープ片１０から順次捲り取って使用する清掃具において、各粘着テープ片１０の粘着面１１の円周方向（Ｘ方向）の一端部分に粘着剤を塗布していない非粘着部１２を形成したことを特徴とする清掃用具である。
【００２１】
粘着テープＴを構成する複数の各粘着テープ片１０は、図２等に示すとおり、矩形状ないし四角形状の基材の表面に粘着面１１を形成したものである。具体的には、各粘着テープ片１０は紙製の基材の表面に粘着剤が塗布されたものである。基材の裏面には剥離処理が施されており、粘着剤は塗布されていない。
【００２２】
粘着テープ片１０は、図２、３に示すように、巻き取り方向の先端（円筒状において円周方向、図２においてＸ方向の一端）に非粘着部１２が形成される。非粘着部１２は、図３に示すように、粘着テープ片１０の先端から後方（ＸＢ方向）に所定間隔を介して折線を形成し、粘着テープ片１０の一辺を前記折線に沿って折り返すことにより構成される。このように、非粘着部１２は、粘着剤が塗布されていない裏面（剥離処理面）を表面側に露出させて形成される。また、非粘着部１２は、粘着テープ片１０の先端部の全幅（巻芯Ｓの軸方向の幅）に亘って形成されている。
【００２３】
なお、非粘着部１２の軸方向幅や、巻き取り方向ないし円周方向長さは、捲り取る際のつかみ易さを考慮して適宜設定される。
【００２４】
また、図２に示すとおり、粘着テープ片１０の巻芯軸方向の両端にも粘着剤を塗布していない非粘着部１３、１３を構成しているが、必ずしも必要というものではなく、任意に設定されるものである。
【００２５】
また、粘着テープ片１０の基材は一般的に用いられる紙のほか、プラスチックフィルム、布その他の材料を使用することができる。
【００２６】
また、粘着テープ片１０の粘着部１１に塗布される粘着剤は、一般的に用いられるゴム系やアクリル系の粘着剤を使用することができる。
【００２７】
また、粘着剤は、粘着テープ片１０の表面全体に塗布されるものでも、部分的に塗布されるものでも良い。
【００２８】
また、粘着テープ片１０の剥離処理面に施される処理は、一般に用いられるフッ素系樹脂やシリコン系樹脂からなる剥離処理である。
【００２９】
径方向に積層されて隣接する各粘着テープ片１０は、一方の粘着テープ片１０（内側に位置する粘着テープ片１０）の粘着面１１と、他方の粘着テープ片１０（外側に位置する粘着テープ片１０）の剥離処理面とが対向粘着して連結される。このようにして、複数の粘着テープ片１０からなる粘着テープＴを巻き取った清掃具が構成される。具体的には、粘着テープ片１０を巻芯Ｓの外周面に巻き付けて円筒状の粘着テープ片１０を形成し、前記粘着テープ片１０を巻芯Ｓに巻き付けた状態から更にその外側に他の粘着テープ片１０を同様に巻き付けて積層する。さらに、同様の工程を経て順次粘着テープ片１０を巻き付けて行く。このようにして、径方向に複数の粘着テープ片１０を積層した清掃用具が構成される。
【００３０】
なお、粘着テープ片１０は、巻芯Ｓの約１円周分の長さ（巻き取り方向長さないし円周方向長さ）を有する。また、粘着テープ片１０を巻芯Ｓに対して巻きつけて円筒状に形成し、順次粘着テープ片１０を巻き付けてゆくと、粘着テープ片１０の厚みによって外側に行くほど直径が大きくなるので、外側の粘着テープ片１０ほど長さが大きくなるように設定される。
【００３１】
実施例１は、従来技術における粘着テープの使用済み部分を切断するための「ミシン目」等を形成することなく、粘着剤を塗布した粘着面１１を外側にして円筒状に捲かれた各粘着テープ片を径方向に複数積層し、径方向の最も外側に位置する粘着テープ片から順次捲り取って使用する清掃具であって、各粘着テープ片の粘着面１１の円周方向の一端部分又は両端部分に粘着剤を塗布していない非粘着部を形成したことから、ミシン目等の加工が不要であると共にミシン目等に沿って使用済み部分を切り取る必要がないので、容易に使用済みの粘着テープ片を捲り取って剥がすことができる。
【００３２】
また、捲りしろとなる粘着テープ片の端部分に非粘着部を形成したことから、手で触れることによって容易に捲りしろを判別することができるので、この点からも粘着テープ片を捲り取って剥がす作業が容易になる。
【００３３】
しかも、ミシン目等を形成した従来技術では、切り取り始めとなる細かなミシン目の端部を視覚によって識別する必要があって切り取り作業が煩雑であるところ、本発明のようにミシン目を形成することなく、粘着テープ片の端部分に帯状の非粘着部を形成した構成によれば、粘着テープ片の端部分のどこからでも捲り始めることができるので、いわゆるユニバーサルデザインとしての効果をも奏する。
【００３４】
さらに、非粘着部を「折り返し」によって形成して「厚み」を持たせていることから、粘着テープをつかみ易く剥がす作業が容易になるのみならず、「清掃後において、巻芯方向に形成されたミシン目をまたぐ様に（交差する用に）髪の毛などが付着している場合」でも、厚みによって強度的に補強されることから、「粘着テープが髪の毛に沿って縦方向に裂けてしまう」という従来技術の問題をも解消しており、容易に裂けることがない。
【００３５】
しかも、最も外側の粘着テープ片の先端側（ＸＦ側・円周方向の先端側）の一端に帯状の非粘着部を設けた構成にすると共に、当該粘着テープ片の後端側（ＸＢ側・円周方向の後端側）の他端を当該粘着テープ片の径方向内側に重ね合わさるようにして円筒状に巻き付けた構成であるから、外側の粘着テープ片の先端及び後端がカーペット等の清掃床面に対して粘着しないため（粘着テープ片の先端は非粘着部であり、後端は当該粘着テープ片の内側に重ね合わさるように巻き付けられて外側に露出していないので、清掃床面に対して粘着しない。）、清掃用具を使用する際に手前方向（図４の矢印方向とは反対方向）に回転させた際に発生する可能性のある「反物現象」ないし「レール現象」（粘着テープ片がカーペット等の清掃面に付着して引き出される現象）を可及的に防止することができる。
【００３６】
なお、非粘着部１２は、矩形状の紙片である基材の表面のうち、巻き取り方向の先端領域を除く他の領域部分に粘着剤を塗布することによって形成することも可能である。
【実施例２】
【００３７】
実施例２を図８、９に示す。実施例１の非粘着部１２は粘着テープ片１０の巻き取り方向（Ｘ方向）側の端辺を折り返して構成されるものであるが、実施例２では、非粘着部を粘着剤を塗布していない帯状の紙片からなる非粘着部１２１とし、非粘着部１２１を粘着テープ片１０の巻き取り方向（Ｘ方向）の端部（先端部）に貼付したものである。
【００３８】
図８、９に示すように、剥離処理した剥離処理面と粘着剤を塗布した粘着面１１とを有する粘着テープ片１０の粘着面１１を外側にして円筒状に捲かれた各粘着テープ片１０を径方向に複数積層し、径方向の最も外側に位置する粘着テープ片１０１から順次捲り取って使用する清掃具において、各粘着テープ片１０は、粘着面１１の円周方向（Ｘ方向）の一端部分（１２１付近）が他端部分（１０１Ｅ付近）を覆うように円筒状に捲かれると共に、前記一端部分に粘着剤を塗布しない非粘着部１２を形成してなる。非粘着部１２は、粘着テープ片１０の粘着剤の塗布された表面（外側面）の先端部分に貼付されるものであり、帯状の紙等で構成されると共に表面に粘着剤が塗布されていない部材である。粘着テープ片１０は、基材の表面全体（巻き取り方向の両端を含めた全体）に粘着剤が塗布されており、この粘着剤を介して、粘着テープ片１０の先端部分（ＸＦ方向）に帯状の非粘着部１２１が貼付される。
【００３９】
このような実施例２は上記実施例１と同様の効果を奏する。
【００４０】
粘着テープ片１０の先端に非粘着部１２１を重合して形成することにより、粘着テープ片１０の先端に「厚み」を持たせることができることから、粘着テープをつかみ易く剥がす作業が容易になるのみならず、「清掃後において、巻芯方向に形成されたミシン目をまたぐ様に（交差する用に）髪の毛などが付着している場合」でも、厚みによって強度的に補強されることから、「粘着テープが髪の毛に沿って縦方向に裂けてしまう」という従来技術の問題をも解消しており、容易に裂けることがない。
【００４１】
また、非粘着部１２１の色を青色や黄色からなる他色紙で形成する等、粘着面１１の色と異なる他の色にすれば、手で触ることによって容易に「めくりしろ（＝非粘着部）」が判別できることに加えて、視覚によっても判別が可能となり、より明確に判別することができるユニバーサルデザイン的な効果がある。
【００４２】
また、非粘着部１２１には、捲り取る方向を分かり易くするために、捲り取る方向を示す印（例えば矢印）を印刷しておくのが好ましい。この場合は、粘着剤などの塗布された表面のように印刷工程が難しいという問題がなく、製造工程が容易になる。また、販売促進ツール等として使用する場合には、非粘着部１２１に、会社名や商品名を示す文字などを印刷することもできる。
【００４３】
ところで、積層されて径方向に隣接する粘着テープ片に関して、外側の粘着テープ片の後端と、内側の粘着テープ片の先端（非粘着部）とが密接した状態で積層されてしまうと、使用済みの外側の粘着テープ片を捲り始める際に、外側の粘着テープ片の後端の捲り上がりにつられて、内側粘着テープ片の先端が捲り上がる可能性があるため（外側の粘着テープ片の表面に塗布された粘着剤と、内側の粘着テープ片の表面に塗布された粘着剤とが融合して互いに付着する場合がある。）、図９に示すとおり、径方向に積層して隣接する粘着テープ片１０は、外側の粘着テープ片１０１の後端１０１Ｅと、内側テープ片１０２の先端１０２Ｓとが所定間隔Ｔ１を介して積層されるのが好ましい。
【００４４】
また、外側の粘着テープ片の後端と、内側の粘着テープ片の先端（非粘着部）とが密接した状態で積層されてしまうと、外側の粘着テープ片の先端近くに「剥離処理面と非粘着部とが積層する非粘着箇所」が形成される。すなわち、外側の粘着シート片の裏面（剥離処理面）と、これに積層される内側の粘着シート片の非粘着部とが重合するため、いずれにも粘着剤が塗布されていない構成部分同士が積層されて粘着の弱い箇所が外側の粘着テープ片の「めくり始め」近くに形成されるため、清掃中に外側の粘着テープ片が剥がれ易い状態になり得る。この意味からも、径方向に積層して隣接する粘着テープ片１０は、外側の粘着テープ片１０１の後端１０１Ｅと、内側の粘着テープ片１０２の先端１０２Ｓとが所定間隔Ｔ１を隔てて積層されるのが好ましい。
【００４５】
また、同様に、外側の粘着テープ片の後端と、内側の粘着テープ片の先端（非粘着部）とが密接した状態で複数積層されてしまうと、使用済みの外側の粘着テープ片を捲り始める際に誤って内側テープ片をも捲る可能性があるため（粘着テープ片を２枚一緒に捲りとってしまう可能性がある。）、径方向に積層して隣接する粘着テープ片１０は、外側テープ片１０１の非粘着部１２の後端１２１Ｅと、内側テープ片１０２の非粘着部１２の始端１０２Ｓとが所定間隔を隔てて重合されることが好ましい。
【００４６】
なお、図９等の所定間隔Ｔ１に相当する部分において、外側の粘着テープ片と内側の粘着テープ片の径方向の間に空間があるように図示されているが、説明の便宜上のものであり、実際には各粘着テープ片は基材の柔軟性によってほぼ径方向に密着した状態で積層されている。
【実施例３】
【００４７】
また、図１０に実施例３を示す。上述の実施例と異なるのは、粘着テープ片１０の非粘着部が形成された先端と後端とをヒートシールして円筒状に巻いて形成した点である。
【００４８】
剥離処理した剥離処理面と粘着剤を塗布した粘着面１１とを有する粘着テープ片１０の粘着面１１を外側にして円筒状に捲かれた各粘着テープ片１０を径方向に複数積層し、径方向の最も外側に位置する粘着テープ片１０１から順次捲り取って使用する清掃具において、各粘着テープ片１０は、粘着面１１の円周方向（Ｘ方向）の一端部分（１２２Ｓ付近）が他端部分（１２２Ｂ付近）を覆うように円筒状に捲かれると共に、前記一端部分に粘着剤を塗布しない非粘着部を形成してなる。そして、非粘着部は、粘着テープ片１０の先端と後端とを剥離可能に熱溶着されたプラスチックフィルムからなる非粘着部１２２Ｓ、１２２Ｂを構成している。図１０に示すとおり、粘着テープ片１０において、非粘着部１２２Ｓは非粘着部１２２Ｂの先端部分Ｏが外側に露出するように円筒状に巻かれている。つまり、非粘着部１２２Ｓは非粘着部１２２Ｂとは少しずらされて重合おり、めくり代部分となる間隔である先端部分Ｏを形成しているので、使用済みの粘着テープ片を捲りやすい。また、上記実施例１と同様の効果がある。
【実施例４】
【００４９】
実施例４を図１１、１２、１３に示す。剥離処理した剥離処理面と粘着剤を塗布した粘着面１１とを有する粘着テープ片１０の粘着面１１を外側にして円筒状に捲かれた各粘着テープ片１０を径方向に複数積層し、径方向の最も外側に位置する粘着テープ片１０１から順次捲り取って使用する清掃具において、各粘着テープ片１０は、粘着面１１の円周方向（Ｘ方向）の一端部分（１２３Ｓ付近）が他端部分を覆うように円筒状に捲かれると共に、前記一端部分に粘着剤を塗布しない非粘着部１２３Ｓを形成している。具体的には、粘着テープ片１０の一端（円周方向の先端）に屈曲自在のプラスチック製のフィルムからなる非粘着部１２３Ｓを形成し、（図１１において）前記一端部分に対向する他端部分には、他端から所定間隔Ｔ２を介してプラスチック製のフィルムからなる非粘着部１２３Ｂを形成したものである。
【００５０】
粘着テープ片１０は、図１２、１３のように、粘着テープ片１０の粘着面１１の円周方向（Ｘ方向）の一端部分に屈曲自在な帯状の非粘着部１２３Ｓを形成すると共に、他端部分に帯状の非粘着部１２３Ｂを形成したものであり、前記非粘着部１２３Ｓと前記非粘着部１２３Ｂとが径方向に対向して重合ないし積層するように円筒状に捲かれたものである。さらに具体的には、前記非粘着部１２３Ｓは、粘着テープ片１０と重合して固着された部分１２３Ｓ２と、粘着テープ片１０とは重合せずに先端方向に突出した部分１２３Ｓ１とを有する。つまり、粘着テープ片１０の先端側表面に、表裏面共に粘着剤を塗布していない柔軟な素材で形成された帯体である非粘着部１２３Ｓを、その先端部分１２３Ｓ１が基材の端部から突出するように形成すると共に、粘着テープ片１０の後端側には、後端から所定間隔Ｔ２を介して表面に粘着剤を塗布していない帯体である非粘着部１２３Ｂを形成し、この粘着テープ片１０を巻芯Ｓに巻き付けた状態において、図１２（ａ）等に示すように、非粘着部１２３Ｓの先端部１２３Ｓ１の下側（径方向内側）に非粘着部１２３Ｂが位置するように積層するのである。
【００５１】
このようにすれば、上記と同様に粘着テープ片１０の先端に非粘着部が形成されることによる効果の他、非粘着部１２３Ｓの先端部分１２３Ｓ１が、清掃用具の回転によって図１２の（ａ），（ｂ），（ｃ）のような状態になったとしても、先端部１２３Ｓ１は非粘着部１２３Ｂ等の粘着することがないので（図１２（ａ）では、先端部１２３Ｓ１は非粘着部１２３Ｂと対向接触するので粘着せず、（ｃ）では、先端部１２３Ｓ１は後端部１２３Ｓ２と対向接触するので粘着しない。）、図１２（ｂ）のように先端部１２３Ｓ１は若干捲りあがった状態になり、外側の粘着テープ片を捲り易いという効果がある。また、上記実施例１と同様の効果がある。
【実施例５】
【００５２】
実施例５を図１４に示す。実施例２において、粘着シート片１０の基材に切欠部Ｃを形成したものである。具体的には、基材の表面に粘着剤を塗布し、裏面に剥離処理を施した粘着テープ片の先端に粘着剤を塗布していない帯状の紙片からなる非粘着部１２１を貼付すると共に、基材の先端（非粘着部１２１が貼付された部分）に所定形状に切り欠いた一又は複数の切欠部Ｃを形成したものであり、粘着テープ片の裏面側に非粘着部１２１の裏面を露出させたものである。
【００５３】
このようなものであると、粘着テープ片を巻芯Ｓに巻き付けた際に、粘着テープ片の裏面に剥離処理を施していない部分が形成される（切欠部によって露出する非粘着部材１２１の裏面には剥離処理は施されていない。）。したがって、全面的に剥離処理が施された場合に比較して、径方向に隣接する粘着テープ片相互間の粘着の程度が高まり、いわゆる前記の反物現象ないしレール現象を防止するという効果がある。また、上記実施例１と同様の効果がある。
【実施例６】
【００５４】
実施例６を図６、７に示す。図６、７の粘着テープ片１０は、実施例１において、巻き取り方向（Ｘ方向）の両端に帯状の非粘着部を備えたものである。巻き取り方向の先端に折り返しによって形成された非粘着部１２を設けると共に、後端（先端に形成された非粘着部１２と対向する側）にも折り返しによって形成された非粘着部１４を備えている。非粘着部１４は、隣接する粘着テープ片同士が粘着剤等によって密着するのを防止し、粘着テープ片１０の１枚のみを確実にめくるようにするものである。
なお、非粘着部１２、１４は折り返しによって形成するのではなく、帯状の紙片を貼付して形成しても良い。
【図面の簡単な説明】
【００５５】
【図１】本発明の実施例の斜視図
【図２】本発明の実施例の粘着シート片の斜視図
【図３】本発明の実施例の側断面図
【図４】本発明の実施例の一部断面図
【図５】本発明の実施例の斜視図
【図６】本発明の実施例の使用状態を示す図。
【図７】本発明の他の実施例の粘着シート片の斜視図。
【図８】本発明の他の実施例の一部側断面図。
【図９】本発明の他の実施例の断面図。
【図１０】本発明の他の実施例の断面図。
【図１１】本発明の他の実施例の粘着シート片の斜視図。
【図１２】本発明の他の実施例の粘着シート片の一部側断面図。
【図１３】本発明の他の実施例の断面図。
【図１４】本発明の他の実施例の粘着シート片の斜視図。
【符号の説明】
【００５６】
Ｓ  巻芯
Ｔ  粘着テープ
Ｒ  粘着ロール
Ｈ  保持具
１０  粘着テープ片
１１  粘着部
１２、１４  非粘着部
【図１】
0005067559.tif 000002
【図２】
0005067559.tif 000003
【図３】
0005067559.tif 000004
【図４】
0005067559.tif 000005
【図５】
0005067559.tif 000006
【図６】
0005067559.tif 000007
【図７】
0005067559.tif 000008
【図８】
0005067559.tif 000009
【図９】
0005067559.tif 000010
【図１０】
0005067559.tif 000011
【図１１】
0005067559.tif 000012
【図１２】
0005067559.tif 000013
【図１３】
0005067559.tif 000014
【図１４】
0005067559.tif 000015